【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
暗算能力及び記憶機能、を測定及び増強しようとする装置であって、
設問の内容を決定する設問決定手段、
該設問決定手段により決定された設問を表示する設問表示手段、
該設問表示手段により表示された設問に対する答案入力の受け付けを、前記設問表示手段に応じて自動的に開始する答案受付自動開始手段、
該答案受付自動開始手段により開始された答案受付の終了時点を判定する答案受付終了時点判定手段、
該答案受付終了時点判定手段により答案入力の受付終了が判定された後、その答案に関する結果を表示する結果表示手段、
該結果表示手段により結果が表示された後、前記設問決定手段により次の設問が自動的に決定され、次の設問へ自動的に移行する次の設問への自動移行手段、
からなる暗算能力及び記憶機能、を測定及び増強しようとする装置であり、
前記設問決定手段は、
一瞬程度の所定の時間、設問の表示がなされた後、その設問の表示が消去された状態でその設問に対して暗算を行うためには、答え算出に至るまでの暗算計算過程が少し長引くことから記憶保持力及び思い出す力を駆使する必要があり通常であれば暗算によっては計算が行われにくい程度までの桁数や内容を有する設問を決定する手段であり、
前記設問決定手段は、
設問を、商算出を目的とした割り算、の観点から、割られる数、及び割る数として決定する手段であり、
前記設問表示手段は、前記設問決定手段により決定された設問を構成する各項の各々に対する表示時間を設定する手段を有し、
前記設問表示手段は、前記設問決定手段により決定された設問に対する正答を決定する正答決定手段を有し、
前記設問表示手段は、設問提示欄を生成する設問提示欄生成手段を有し、
前記設問表示手段は、前記設問提示欄生成手段により生成された設問提示欄に前記設問決定手段により決定された設問を所定の時間表示し、その後設問提示欄のその設問の表示を消し、学習者が、その割り算の商の算出の暗算を行う際に、設問を参照することができない状態にする手段を有し、
前記答案受付自動開始手段は、予め答案入力欄を生成する答案入力欄生成手段を有し、
前記答案受付自動開始手段は、答案受付自動開始の際、入力フォーカスを答案入力欄に自動的に指定する手段を有し、
前記次の設問への自動移行手段は、答案入力内容の自動消去手段を有すること、を特徴とする。
【請求項２】
前記設問表示手段は、まず、割られる数を所定の時間表示し、その表示内容を÷記号に更新させた後、÷記号を所定の時間表示し、次に、その表示内容を、割る数に更新した後、割る数を所定の時間表示させ、
次に、その表示内容を消す手段であることを特徴とする、請求項１に記載の、暗算能力及び記憶機能、を測定及び増強しようとする装置。
【請求項３】
学習者に、記憶保持力、ならびに記憶保持された事柄を思い出しつつ活用できる力、を強めようとする練習を行わせるために、
前記設問決定手段は、
練習続行性を高め、学習者に疲労を生じず、暗算練習の単調性を低減させるための、
暗算中設問を見ずに容易に暗算可能な程度の桁数や内容を有する設問から、
暗算中設問を見ずに暗算を行うことが全く不可能ではないものの、学習者が通常は記憶保持、及び思い出すこと、に多少の負担を感じるため、どちらかというと暗算よりは筆算、あるいは概算により、計算を行う程度の桁数や内容を有する設問まで、を設問範囲として、設問を決定するために、
前記設問決定手段は、
ゼロから（１００−１）の間の値を範囲として、乱数を発生させ、算出する正答が０になることを回避するためにその乱数に１を和算した値に、１０を乗算することにより、設問として表示する割られる数を選び、
ゼロから（９−１）の間の値を範囲として、乱数を発生させ、算出する正答が計算不可能になることを回避するためにその乱数に１を和算することにより、設問として表示する割る数を選ぶ手段であることを特徴とする請求項１〜２に記載の、暗算能力及び記憶機能、を測定及び増強しようとする装置。
【請求項４】
前記答案受付自動開始手段は、答案入力方針明示手段、すなわち、答案入力欄の左上にメッセージである“答案入力欄、商のみを入力”を表示することにより、その欄が答案入力欄であること、ならびに、設問提示欄に提示された設問、に対する答えが余りを生じるような場合であっても、学習者による暗算ならびに記憶機能練習の実行ならびに続行可能性を高めるために、商のみを、答案入力欄に入力するよう学習者に求め、余りまで暗算することは要求しないことを明示する手段を有することを特徴とする請求項１〜３に記載の、暗算能力及び記憶機能、を測定及び増強しようとする装置。
【請求項５】
前記設問表示手段は、前記正答決定手段により決定された正答の文字列の長さを検出する正答の長さ検出手段を有し、
前記答案受付自動開始手段は、入力された答案文字列の長さを検出する答案の長さ検出手段を有し、
前記答案受付終了時点判定手段は、前記答案の長さ検出手段により検出された答案文字列の長さが
前記正答の長さ検出手段により検出された正答文字列の長さ以上になった時には、前記答案受付自動開始手段により自動的に開始されていた答案入力の受付を終了させる判定を行う手段を有することを特徴とする、請求項１〜４に記載の、暗算能力及び記憶機能、を測定及び増強しようとする装置。
【請求項６】
前記答案受付自動開始手段は、暗算時間の測定を開始する時点を指定する暗算時間測定開始時点指定手段を有し、
前記答案受付終了時点判定手段は、前記答案の長さ検出手段により検出された答案文字列の長さが
前記正答の長さ検出手段により検出された正答文字列の長さ以上になった時には、暗算時間測定を終了する手段を有することを特徴とする、請求項５に記載の、暗算能力及び記憶機能、を測定及び増強しようとする装置。
【請求項７】
なるべく長い時間、記憶保持を行おうとすることや、なるべく長い時間、思い出そうとし続けることに学習者に関心を持たせるために、また、なるべく長い時間、記憶保持力ならびに思い出す力を行使しながら暗算しようとすることに学習者の関心を向けるために、
前記結果表示手段は、暗算に要した時間を表示する暗算時間表示手段を有し、その表示は、数値及びグラフによりなされることを特徴とする、請求項６に記載の、暗算能力及び記憶機能、を測定及び増強しようとする装置。
【請求項８】
暗算ならびに記憶機能の練習を進めるに際して、答え合わせを行うためのボタンを、逐一押す必要をなくし、自動化することにより、そのようなボタン押しを繰り返して行わねば練習を続けて進められない場合に比べて、煩わしさが非常に省け、練習に、より一層集中することができるようにするために、
前記答案受付終了時点判定手段は、前記答案の長さ検出手段により検出された答案文字列の長さが前記正答の長さ検出手段により検出された正答文字列の長さ以上になった時には、正答に照らした答案の正誤を自動的に判定する手段を有することを特徴とする、請求項６〜７に記載の、暗算能力及び記憶機能、を測定及び増強しようとする装置。
【請求項９】
学習者は、商を得るまでの中間計算、ならびに本来の設問の思い出しなど、に間断されながら、どの程度の時間まで本来の設問を正確に記憶に保持可能であるかについて観察可能にするために、また、学習者が、入力した答案の正誤を、視覚的に、結果表示の表示形態により、認識することができるようにするために、
前記結果表示手段は、結果表示に際して、前記正誤を自動的に判定する手段による正誤判定を、表示形態に反映させる手段であることを特徴とする、請求項８に記載の、暗算能力及び記憶機能、を測定及び増強しようとする装置。
【請求項１０】
前記結果表示手段は、履歴保持画面と履歴更新画面を有し、履歴保持画面の表示を履歴更新画面の表示に合成コピーする手段を有し、
学習者の答案が正しかった場合の、本発明実行時から今の正誤判定時までを通した平均で、一つの設問当たり、どの程度の時間の間、記憶保持ならびに思い出す努力、すなわち、そのような機能訓練、を行えたかを表示可能にすることにより観察可能にするために、
前記結果表示手段は、入力答案が正しかった場合を通じての、平均暗算時間を算出する手段を有し、
その表示を行うに際して、前記履歴更新画面にグラフ表示する手段を有することを特徴とする、請求項８〜９の何れか一項に記載の、暗算能力及び記憶機能、を測定及び増強しようとする装置。
【請求項１１】
前記結果表示手段は、誤答の場合は、前記履歴更新画面に正しい商を表示するとともに、計算のやり直しを行うことが可能な程度の所定の時間、表示が消去されていた設問を再掲する手段を有する、すなわち、答案が誤答であった場合も、何らかの練習効果を生じさせようとするための手段を有することを特徴とする、請求項１０に記載の、暗算能力及び記憶機能、を測定及び増強しようとする装置。
【請求項１２】
設問を忘れかかったり、答えを得るまでに中間計算結果と設問とを混乱しかかったりしたため、中間計算が長引き、暗算時間が長くなってしまったが、最終的に学習者が正しい答えを得ることができ、学習者が当該設問に対する暗算経過を振り返り、よく暗算できたと感心するような場合の暗算時間、すなわち、本発明により測定された暗算時間の、本発明実行時から今までの値の最大値を、表示可能にすることにより観察可能にするために、
前記結果表示手段は、答案入力が正しかった場合の、暗算時間の最大値を抽出する手段を有し、
それに基づき、暗算時間最大値を最大記録として表示する手段を有することを特徴とする請求項８〜１１の何れか一項に記載の、暗算能力及び記憶機能、を測定及び増強しようとする装置。
【請求項１３】
前記正答決定手段は、前記設問決定手段により決定された設問に対する正答を算出する正答算出手段であり、
前記設問表示手段は、前記設問決定手段により決定されたひとまとまりの設問の最初の項が表示されるまでの時間間隔に、変動を生じ、暗算練習の単調性を緩和させる手段であり、設問が提示される時間間隔に、前記正答算出手段によって設問に応じた変動を生じ、等時間間隔で設問が提示される場合に比較して、暗算練習の単調性が緩和される設問表示手段であることを特徴とする、請求項１〜１２に記載の、暗算能力及び記憶機能、を測定及び増強しようとする装置。
【請求項１４】
暗算能力及び記憶機能、を測定及び増強しようとするために、コンピュータを、請求項１〜１３の何れか一項に記載の手段として機能させることを特徴とするプログラム。
【請求項１５】
請求項１４に記載のプログラムを記録したことを特徴とするコンピュータに読み取り可能な記録媒体。
【請求項１６】
なるべくすべての情報処理を学習者の頭の中において行わそうとする練習、すなわち、記憶保持を外部の物によらず、なるべく何も参照させずに学習者の頭の中だけで情報を処理させる練習を行わせるために、
本発明の利用に際しては、学習者の記憶保持力を高めようとする観点から、学習者が暗算により設問に対する商を計算し終わってから、その商を答案入力欄に、入力し始めるよう学習者に奨めることを特徴とする請求項１〜１５に記載の本発明の使用方法。